(57)【要約】      （修正有）【課題】もぐさ等薬草サックに熱を放射し、身体に薬草エキスを浸透させる治療装置と、カーボン系発熱体から放射する遠赤外線電磁波熱による治療装置の提供。【解決手段】背面部の治療マットＣは、外装生地Ａの内部にカーボン面発熱体Ｈと断熱材Ｉが挿入袋Ｓａに内設されており、更に外装生地Ａの上部表面に薬草サックＢｍを挿入する袋Ｓａが具備されている。この治療マットＣを背面に身体を仰向けにし、腹部上面は掛毛布Ｄが覆われる。この掛毛布Ｄと接触する腹部上面に、もぐさサックＡｍが挿入される袋Ｓａと、その上面にカーボン面発熱体Ｈと断熱材Ｉとが挿入される袋Ｓａとが一体に掛毛布Ｄの内面に縫製されている。この装置にはコントローラーＥが装備されており、治療マットＣからの電源コードＨａと、更に掛毛布Ｄの腹部からの電源コードＨｂが連結されている。【選択図】図３
0003121611.tif 000002
【実用新案登録請求の範囲】
【請求項１】
本装置は、身体背面にもぐさ等薬草サックと、該薬草サックの裏面にニクロム線又はカーボン系発熱体とが電源として内設され、該電源の放射温度をこもり熱も含め２５℃〜４５℃内で制御し、前記もぐさ等薬草サックに放射することで薬草エキスを身体に浸透させる効果と、前記カーボン系発熱体から放射する遠赤外線電磁波熱の効果をもつ治療マット、と更に人体正面腹部に遠赤外線放射掛毛布で保温してなることを特徴とした光線熱治療装置と薬草治療装置。
【請求項２】
本装置は、身体の腹部正面と腰部背面とに接触具備した、もぐさ等薬草サックと、更にその裏面にニクロム線又はカーボン系発熱体とが電源として内設され、該電源の放射温度をこもり熱も含め２５℃〜４５℃内で制御し、腹部正面と背面を一体に巻き込む形で腹巻き型にするか、又は端部をマジックテープで固定する形の腹巻き型構造とし、人体の腹部正面と背面部とに前記もぐさ等薬草に熱放射することで薬草エキスが身体に浸透する効果と、更に、前記カーボン系発熱体から放射する遠赤外線電磁波熱の効果も含め治療してなることを特徴とした光線熱治療装置と薬草治療装置。
【請求項３】
本装置は、身体の腰部背面に接触具備した、もぐさ等薬草サックと、その裏面にニクロム線又はカーボン系発熱体とが電源として内設され、該電源の放射温度をこもり熱も含め２５℃〜４５℃内で制御させ、更に人体の腹部正面には遠赤外線を放射する素材を腰部背面と一体に巻き込む形で腹巻き型にするか、又は端部をマジックテープで固定する形の腹巻き型構造とし、腹部からの遠赤外線放射熱と共に、腰部背面からの薬草エキスの浸透効果と、更に前記カーボン系発熱体から放射する遠赤外線電磁波熱の効果も含め治療してなることを特徴とした光線熱治療装置と薬草治療装置。
【請求項４】
前記請求項１の治療マットの腹部上面を掛毛布等で覆う形態とし、腹部面の中心部は、熱源として放射温度をこり熱も含め１５℃〜３５℃内で制御するニクロム線又はカーボン系発熱体を電源として内設し、更に、もぐさ等薬草サックを内設させて薬草エキスを身体に浸透させる構成とし、前記カーボン系発熱体から放射する遠赤外線電磁波熱の効果も含め腰部と腹部を同時治療してなることを特徴とした光線熱治療装置と薬草治療装置。
【請求項５】
前記請求項１の治療マットの腹部上面を掛毛布等で覆う形態とし、腹部面の中心部は、熱源として放射温度をこもり熱も含め１５℃〜３５℃内で制御するカーボン系発熱体を電源として内設し、更に、裏面に断熱材を一体にして内設し、遠赤外線電磁波熱の放射機能と、共に、コントローラーにより負電荷による電位を印加しマイナスイオン作用をもたらす相乗効果のある装置とを具備したことを特徴とする光線熱治療装置と薬草治療装置。
【請求項６】
本装置の薬草には、もぐさ以外にビワの葉、オウレン、ジオウ等他の漢方薬草を乾燥させた薬草とし、更に本装置の熱源に、カーボン系発熱体を適応した時の安全策として、該発熱体内に４５℃〜６０℃で作動するサーモスタット又は、７０℃〜８０℃で遮断する温度ヒューズを具備し、更に２０分〜３０分で一端電源を遮断するタイマーを装備してなることを特徴とする光線熱治療装置と薬草治療装置。
【考案の詳細な説明】
【技術分野】
【０００１】    本考案は、カーボン発熱体から放射する浸透性の高い８μ〜１０μの遠赤外線電磁波熱を、乾燥薬草に照射し薬草からのエキスを身体に浸透させる効果と、前記遠赤外線電磁波熱による温熱効果、又は負電荷による電位のマイナスイオン効果をもつ光線熱治療装置と薬草治療装置に関する。
【背景技術】
【０００２】  従来から、もぐさを身体の壷にあて直接もぐさに火をつけるお灸治療、又はもぐさに火を付けて、そのエキスを間接的に皮膚に浸透させるお灸治療は現在も見ることが出来る。更に、ニクロム線又はカーボン発熱体を熱源として、もぐさに放射させるお灸マットも商品化されている。然し、本考案のような温熱治療、マイナスイオン治療、薬草治療、を兼ね備えた装置は未だにない。
【考案の開示】
【考案が解決しょうとする課題】
【０００３】  この装置の治療は比較的高齢者で肩凝り、腰痛、冷え性、神経痛等血行不順の方に適する。効果のある治療方法は身体の芯まで熱を浸透させ、血液の循環を良くすることである。本装置は温熱治療、マイナスイオン治療、薬草治療等で腰痛、神経痛等の治療をすることを目的としている。又更に、身体の腰部背面と腹部正面を主体に交互又は同時に治療することを目的としている。
【課題を解決するための手段】
【０００４】  骨粗鬆症、ぎっくり腰、椎間板ヘルニア等、腰部背面の病気で苦しんでる方は多くいます。これらの病気には温熱治療を主に、もぐさ等薬草治療等がよいと言われています。関節痛、筋肉痛には血液の循環が重要である。本考案の装置は腹部又は腰部を主体にした装置ではあるが、遠赤外線を放射させる位置によって足、肩の治療も可能である。
【０００５】  請求項１の装置は、身体背面にもぐさ等薬草サックと、該薬草サックの裏面にニクロム線又はカーボン系発熱体とが電源として内設され、該電源の放射温度をこもり熱も含め２５℃〜４５℃内で制御し、前記もぐさ等薬草サックに放射することで薬草エキスを身体に浸透させる効果と、前記カーボン系発熱体から放射する遠赤外線電磁波熱の効果をもつ治療マット、と更に人体正面腹部に遠赤外線放射掛毛布で保温してなることを特徴とした光線熱治療装置と薬草治療装置である。
【０００６】  請求項２の装置は、身体の腹部正面と背部背面とに接触具備した、もぐさ等薬草サックと、更にその裏面にニクロム線又はカーボン系発熱体とが電源として内設され、該電源の放射温度をこもり熱も含め２５℃〜４５℃内で制御し、腹部正面と背面を一体に巻き込む形で腹巻き型にするか、又は端部をマジックテープで固定する形の腹巻き型構造とし、人体の腹部正面と背面部とに前記もぐさ等薬草に熱放射することで薬草エキスが身体に浸透する効果と、更に、前記カーボン系発熱体から放射する遠赤外線電磁波熱の効果も含め治療してなることを特徴とした光線熱治療装置と薬草治療装置である。
【０００７】  請求項３の装置は、身体の腰部背面に接触具備した、もぐさ等薬草サックと、その裏面にニクロム線又はカーボン系発熱体とが電源として内設され、該電源の放射温度をこもり熱も含め２５℃〜４５℃内で制御させ、更に人体の腹部には遠赤外線を放射する素材（遠赤外線を放射する粉末を素地に含浸させたもの）を腰部背面と一体に巻き込む形で腹巻き型にするか、又は端部をマジツクテープで固定する形の腹巻き型構造とし、腹部からの遠赤外線放射熱と共に、腰部背面からの薬草エキスの浸透効果と、更に前記カーボン系発熱体から放射する遠赤外線電磁波熱の効果も含め治療してなることを特徴とした光線熱治療装置と薬草治療装置である。
【０００８】  請求項４の装置は、前記請求項１の治療マットの腹部上面を掛毛布等で覆う形態とし、腹部面の中心部は、熱源として放射温度をこもり熱も含め１５℃〜３５℃内で制御するニクロム線又はカーボン系発熱体を電源として内設し、更にもぐさ等薬草サックを内設させて薬草エキスを身体に浸透させる構成とし、前記カーボン系発熱体から放射する遠赤外線電磁波熱の効果も含め腰部と腹部を同時治療してなることを特徴とした光線熱治療装置と薬草治療装置である。
【０００９】  請求項５の装置は、前記請求項１の治療マットの腹部上面を掛毛布等で覆う形態とし、腹部面の中心部は、熱源として放射温度をこもり熱も含め１５℃〜３５℃内で制御するカーボン系発熱体を電源として内設し、更に、裏面に断熱材とを一体にして内設し、遠赤外線電磁波熱の放射機能と、共に、コントローラーにより負電荷による電位を印加しマイナスイオン作用をもたらす相乗効果のある装置とを具備したことを特徴とする光線熱治療装置と薬草治療装置である。
【００１０】  請求項６の装置の薬草には、もぐさ以外にビワの葉、オウレン、ジオウ等他の漢方薬草を乾燥させた薬草とし、更に本装置の熱源に、カーボン系発熱体を適応した時の安全策として、該発熱体内に４５℃〜６０℃で作動するサーモスタット又は、７０℃〜８０℃で遮断する温度ヒューズを具備し、更に２０分〜３０分で一端電源を遮断するタイマーを装備してなることを特徴とする光線熱治療装置と薬草治療装置である。
【考案の効果】
【００１１】  薬草エキスは関節痛、筋肉痛に効果がある。又カーボン発熱体から放射する遠赤外線電磁波熱は、身体の深部まで浸透する温熱効果があるため血液の循環を良好にする。その為椎間板ヘルニア、ぎっくり腰等の温熱療法には不可欠な光線熱治療装置と薬草治療装置である。
【考案を実施するための最良の形態】
【００１２】  日本人の８０％は神経痛で苦しんでおり、特に肩、腰、足等の関節痛が多い。
本考案は腰、脊髄を背面にし、胃、腹部を正面にした腹巻き型治療装置。又は、肩、脊髄、腰の背面部に薬草エキス治療と遠赤外線電磁波熱治療を主体にした装置。と更に腹部正面を掛毛布等に遠赤外線電磁波熱とマイナスイオンを発生する装置を内設し、コントローラーで制御して相乗治療を行う装置。等組み合わせにより商品化が可能である。
【実施例１】
【００１３】  本考案の光線治療装置と薬草治療装置を、例えば、図１は表裏面薬草付き腹巻き装置の平面図Ａー１及び断面図Ａー２である。具体的な装置はＡー２の断面図の如く、腹巻き全面の外装生地Ａの背面内部全面にカーボン面発熱体Ｈと断熱材Ｉを内設する背面袋Ｓａがファスナーと共に設けられる。更に外装生地Ａー１の表面部に、腰部背面袋Ｓａとその内部に挿入する背面もぐさサックＢｍと共に、腹部正面袋Ｓａとその内部に挿入する腹部もぐさサックＡｍが設けられる。外装生地Ａの両端部にそれぞれマジックテープＭａ・Ｍｂが具備されている。この装置の治療は、身体の腰部背面に背面もぐさサックＢｍを接触させ、腹部正面に腹部もぐさサックＡｍが接触するようにして右端部マジックテープＭａを左端部マジックテープＭｂに合わせ固定する。最後に背部全面に内設したカーボン面発熱体Ｈから結線された電源コードＨａの中間に２０〜３０分で一時電源遮断するタイマーＴが具備されており、タイマーＯＮにより薬草治療と温熱治療ができる。
図２は背面薬草付腹巻き装置Ｂ−２の断面図である。この装置は腰部背面にカーボン面発熱体ＨともぐさサックＢｍが具備され、腹部正面は遠赤外線放射素材Ａｉ設けられ、端部のマジックテープＭａ・Ｍｂで固定するタイプで柔軟性のある装置である。
図３は仰向き型治療装置Ｌ−１の断面図である。背面部の治療マットＣは、外装生地Ａの内部にカーボン面発熱体Ｈと断熱材Ｉが挿入袋Ｓａに内設されており、更に外装生地Ａの上部表面に薬草サックＢｍを挿入する袋Ｓａが具備されている。この治療マットＣを背面に身体を仰向けにし、腹部上面は掛毛布Ｄが覆われる。この掛毛布Ｄと接触する腹部上面に、もぐさサックＡｍが挿入される袋Ｓａと、その上面にカーボン面発熱体Ｈと断熱材Ｉとが挿入される袋Ｓａとが一体に掛毛布Ｄの内面に縫製されている。この装置にはコントローラーＥが装備されており、治療マットＣからの電源コードＨａと、更に掛毛布Ｄの腹部からの電源コードＨｂが連結されている。この装置の治療はコントローラーＥを操作することで腹部面と腰部背面との薬草治療と温熱治療ができる。
図４は掛毛布Ｄの腹部面を治療する装置はカーボン面発熱体Ｈのみとし、そのカーボン面発熱体Ｈから温熱療法と負電荷によるマイナス電位療法とに区別してコントローラーＥで操作治療する構成とした。
【産業上の利用可能性】
【００１４】  本考案の装置は、病院の神経科での治療、又は針灸マッサージでの職業用治療装置に適応することができる。
【図面の簡単な説明】
【００１５】
【図１】表裏面薬草付き腹巻型装置の正面図と断面図である。
【図２】背面薬草付き腹巻型装置の断面図である。
【図３】仰向き型上下面薬草付き治療装置の断面図である
【図４】仰向き型背面薬草付き治療装置の断面図である。
【符号の説明】
【００１６】        Ａ…外装生地
Ａｉ…遠赤外線放射素材
Ａｍ…腹部面もぐさサック
Ａー１…腹巻型装置の平面図
Ａー２…腹巻型装置の断面図
Ｂｍ…背面もぐさサック
Ｃ…治療マット
Ｄ…掛毛布
Ｅ…コントローラー
Ｈ…カーボン系発熱体
Ｈａ…背面部カーボン発熱体からの電源コード
Ｈｂ…腹部面カーボン発熱体からの電源コード
Ｉ…断熱材
Ｌー１…仰向き型上下面薬草付き治療装置
Ｌー２…仰向き型背面薬草付き治療装置
Ｍａ…端部マジックテープ
Ｍｂ…端部マジックテープ
Ｔ…タイマー
【図１】
0003121611.tif 000003
【図２】
0003121611.tif 000004
【図３】
0003121611.tif 000005
【図４】
0003121611.tif 000006
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
本装置は、身体背面にもぐさ等薬草サックと、該薬草サックの裏面にニクロム線又はカーボン系発熱体とが電源として内設され、該電源の放射温度をこもり熱も含め２５℃〜４５℃内で制御し、前記もぐさ等薬草サックに放射することで薬草エキスを身体に浸透させる効果と、前記カーボン系発熱体から放射する遠赤外線電磁波熱の効果をもつ治療マット、と更に人体正面腹部に遠赤外線放射掛毛布で保温してなることを特徴とした光線熱治療装置と薬草治療装置。
【請求項２】
本装置は、身体の腹部正面と腰部背面とに接触具備した、もぐさ等薬草サックと、更にその裏面にニクロム線又はカーボン系発熱体とが電源として内設され、該電源の放射温度をこもり熱も含め２５℃〜４５℃内で制御し、腹部正面と背面を一体に巻き込む形で腹巻き型にするか、又は端部を面ファスナーで固定する形の腹巻き型構造とし、人体の腹部正面と背面部とに前記もぐさ等薬草に熱放射することで薬草エキスが身体に浸透する効果と、更に、前記カーボン系発熱体から放射する遠赤外線電磁波熱の効果も含め治療してなることを特徴とした光線熱治療装置と薬草治療装置。
【請求項３】
本装置は、身体の腰部背面に接触具備した、もぐさ等薬草サックと、その裏面にニクロム線又はカーボン系発熱体とが電源として内設され、該電源の放射温度をこもり熱も含め２５℃〜４５℃内で制御させ、更に人体の腹部正面には遠赤外線を放射する素材を腰部背面と一体に巻き込む形で腹巻き型にするか、又は端部を面ファスナーで固定する形の腹巻き型構造とし、腹部からの遠赤外線放射熱と共に、腰部背面からの薬草エキスの浸透効果と、更に前記カーボン系発熱体から放射する遠赤外線電磁波熱の効果も含め治療してなることを特徴とした光線熱治療装置と薬草治療装置。
【請求項４】
前記請求項１の治療マットの腹部上面を掛毛布等で覆う形態とし、腹部面の中心部は、熱源として放射温度をこもり熱も含め１５℃〜３５℃内で制御するニクロム線又はカーボン系発熱体を電源として内設し、更に、もぐさ等薬草サックを内設させて薬草エキスを身体に浸透させる構成とし、前記カーボン系発熱体から放射する遠赤外線電磁波熱の効果も含め腰部と腹部を同時治療してなることを特徴とした光線熱治療装置と薬草治療装置。
【請求項５】
前記請求項１の治療マットの腹部上面を掛毛布等で覆う形態とし、腹部面の中心部は、熱源として放射温度をこもり熱も含め１５℃〜３５℃内で制御するカーボン系発熱体を電源として内設し、更に、裏面に断熱材を一体にして内設し、遠赤外線電磁波熱の放射機能と、共に、コントローラーにより負電荷による電位を印加しマイナスイオン作用をもたらす相乗効果のある装置とを具備したことを特徴とする光線熱治療装置と薬草治療装置。
【請求項６】
本装置の薬草には、もぐさ以外にビワの葉、オウレン、ジオウ等他の漢方薬草を乾燥させた薬草とし、更に本装置の熱源に、カーボン系発熱体を適応した時の安全策として、該発熱体内に４５℃〜６０℃で作動するサーモスタット又は７０℃〜８０℃で遮断する温度ヒューズを具備し、更に２０分〜３０分で一端電源を遮断するタイマーを装備してなることを特徴とする光線熱治療装置と薬草治療装置。
【手続補正２】
【補正対象書類名】明細書
【補正対象項目名】０００６
【補正方法】変更
【補正の内容】
【０００６】請求項２の装置は、身体の腹部正面と背部背面とに接触具備した、もぐさ等薬草サックと、更にその裏面にニクロム線又はカーボン系発熱体とが電源として内設され、該電源の放射温度をこもり熱も含め２５℃〜４５℃内で制御し、腹部正面と背面を一体に巻き込む形で腹巻き型にするか、又は端部を面ファスナーで固定する形の腹巻き型構造とし、人体の腹部正面と背面部とに前記もぐさ等薬草に熱放射することで薬草エキスが身体に浸透する効果と、更に、前記カーボン系発熱体から放射する遠赤外線電磁波熱の効果も含め治療してなることを特徴とした光線熱治療装置と薬草治療装置である。
【手続補正３】
【補正対象書類名】明細書
【補正対象項目名】０００７
【補正方法】変更
【補正の内容】
【０００７】請求項３の装置は、身体の腰部背面に接続具備した、もぐさ等薬草サックと、その裏面にニクロム線又はカーボン系発熱体とが電源として内設され、該電源の放射温度をこもり熱も含め２５℃〜４５℃内で制御させ、更に人体の腹部には遠赤外線を放射する素材（遠赤外線を放射する粉末を素地に含浸させたもの）を腰部背面と一体に巻き込む形で腹巻き型にするか、又は端部を面ファスナーで固定する形の腹巻き型構造とし、腹部からの遠赤外線放射熱と共に、腰部背面からの薬草エキスの浸透効果と、更に前記カーボン系発熱体から放射する遠赤外線電磁波熱の効果も含め治療してなることを特徴とした光線熱治療装置と薬草治療装置である。
【手続補正４】
【補正対象書類名】明細書
【補正対象項目名】００１３
【補正方法】変更
【補正の内容】
【００１３】本考案の光線治療装置と薬草治療装置を、例えば、図１は表裏面薬草付き腹巻き装置の平面図Ａー１及びＡー２である。具体的な装置はＡ−２の断面図の如く、腹巻き全面の外装生地Ａの背面内部全面にカーボン面発熱体Ｈと断熱材Ｉを内設する背面袋Ｓａがファスナーと共に設けられる。更に外装生地Ａー１の表面部に、腰部背面袋Ｓａとその内部に挿入する背面もぐさサックＢｍと共に、腹部正面袋Ｓａとその内部に挿入する腹部もぐさサックＡｍが設けられる。外装生地Ａの両端部にそれぞれ面ファスナーＭａ・Ｍｂが具備されている。この装置の治療は、身体の腰部背面に背面もぐさサックＢｍを接触させ、腹部正面に腹部もぐさサックＡｍが接触するようにして右端部面ファスナーＭａを左端部面ファスナーＭｂに合わせ固定する。
最後に背部全面に内設したカーボン面発熱体Ｈから結線された電源コードＨａの中間に２０分〜３０分で一時電源遮断するタイマーＴが具備されており、タイマーＯＮにより薬草治療と温熱治療ができる。
図２は背面薬草付腹巻き装置Ｂー２の断面図である。この装置は腰部背面にカーボン面発熱体ＨともぐさサックＢｍが具備され、腹部正面は遠赤外線放射素材Ａｉが設けられ、端部の面ファスナーＭａ・Ｍｂで固定するタイプで柔軟性のある装置である。
図３は仰向き型治療装置Ｌー１の断面図である。背面部の治療マットＣは、外装生地Ａの内部にカーボン面発熱体Ｈと断熱材１が挿入袋Ｓａに内設されており、更に外装生地Ａの上部表面に薬草サックＢｍを挿入する袋Ｓａが具備されている。この治療マットＣを背面に身体を仰向けにし、腹部上面は掛毛布Ｄが覆われる。この掛毛布Ｄと接触する腹部上面に、もぐさサックＡｍが挿入される袋Ｓａと、その上面にカーボン面発熱体Ｈと断熱材Ｉとが挿入される袋Ｓａとが一体に掛毛布Ｄの内面に縫製されている。この装置にはコントローラーＥが装備されており、治療マットＣからの電源コードＨａと、更に掛毛布Ｄの腹部からの電源コードＨｂが連結されている。この装置の治療はコントローラーＥを操作することで腹部面と腰部背面との薬草治療と温熱治療ができる。    図４は掛毛布Ｄの腹部面を治療する装置としてカーボン面発熱体Ｈのみとし、そのカーボン面発熱体Ｈから温熱治療と負電荷によるマイナス電位治療とに区別してコントローラーＥで操作治療する構成とした。
【手続補正５】
【補正対象書類名】明細書
【補正対象項目名】００１５
【補正方法】変更
【補正の内容】
【００１５】
【図１】表裏面薬草付き腹巻型装置の正面図と断面図である。
【図２】背面薬草付き腹巻型装置の断面図である。
【図３】仰向き型上下面薬草付き治療装置の断面図である。
【図４】仰向き型背面薬草付き治療装置の断面図である。
【手続補正６】
【補正対象書類名】明細書
【補正対象項目名】００１６
【補正方法】変更
【補正の内容】
【００１６】Ａ…外装生地
Ａｉ…遠赤外線放射素材
Ａｍ…腹部面もぐさサック
Ａー１…腹巻型装置の平面図
Ａー２…腹巻型装置の断面図
Ｂｍ…背面もぐさサック
Ｃ…治療マット
Ｄ…掛毛布
Ｅ…コントローラー
Ｈ…カーボン系発熱体
Ｈａ…背面部カーボン発熱体からの電源コード
Ｈｂ…腹部面カーボン発熱体からの電源コード
Ｉ…断熱材
Ｌー１…仰向き型上下面薬草付き治療装置
Ｌー２…仰向き型背面薬草付き治療装置
Ｍａ…端部面ファスナー
Ｍｂ…端部面ファスナー
Ｔ…タイマー